(57)【要約】【課題】迅速、かつ容易に多彩なコンテンツを収集し、また利用者のニーズに誠実に応えるロケーション情報を提供する。【解決手段】情報提供者端末３０とコンテンツ収集管理システム１０とコンテンツ提供管理システム２０と利用者端末４０とが通信ネットワーク５０，６０，７０で接続されている。情報提供者端末はコンテンツ収集管理センターに採用された情報提供会員が採集したロケーション情報をコンテンツ収集管理システムに送信する。コンテンツ収集管理システムでは、受信したロケーション情報を審査の上で蓄積する。コンテンツ提供管理システムでは、コンテンツ収集管理センターとの間で利用提携契約を締結し蓄積されているロケーション情報をコンテンツ収集管理システムから取得して蓄積する。コンテンツ提供管理センターは、サービス利用登録した利用者の利用者端末にコンテンツ収集管理システムから取得したロケーション情報を送信する。【選択図】　　　　図１
2004062225.tif 000002
【特許請求の範囲】
【請求項１】
情報提供者端末とコンテンツ収集管理システムとコンテンツ提供管理システムと利用者端末とが通信ネットワークで接続されたロケーション情報提供システムにおいて、
前記情報提供者端末はコンテンツ収集管理センターに採用された情報提供会員が採集したロケーション情報を前記コンテンツ収集管理システムに送信し、
前記コンテンツ収集管理システムでは受信したロケーション情報を審査の上で蓄積し、
前記コンテンツ提供管理システムでは前記コンテンツ収集管理センターとの間で利用提携契約を締結し前記蓄積されているロケーション情報を前記コンテンツ収集管理システムから取得して蓄積し、
前記コンテンツ提供管理センターはサービス利用登録した利用者の利用者端末に前記コンテンツ収集管理システムから取得したロケーション情報を送信することを特徴とするロケーション情報提供システム。
【請求項２】
前記コンテンツ収集管理システムは、前記コンテンツ提供管理システムから求められたロケーション情報を蓄積していない場合に、前記情報提供者端末に当該ロケーション情報を募集することを特徴とする請求項１に記載のロケーション情報提供システム。
【請求項３】
前記コンテンツ提供管理システムは、前記利用者端末から求められたロケーション情報を蓄積していない場合に、他の前記利用者端末に対して当該ロケーション情報を募集することを特徴とする請求項１または請求項２に記載のロケーション情報提供システム。
【請求項４】
情報提供者端末とコンテンツ収集管理システムとコンテンツ提供管理システムと利用者端末とを通信ネットワークで接続し、
前記情報提供者端末はコンテンツ収集管理センターに採用された情報提供会員が採集したロケーション情報を前記コンテンツ収集管理システムに送信する手順と、
前記コンテンツ収集管理システムでは受信したロケーション情報を審査の上で蓄積する手順と、
前記コンテンツ提供管理システムでは前記コンテンツ収集管理センターとの間で利用提携契約を締結し前記蓄積されているロケーション情報を前記コンテンツ収集管理システムから取得して蓄積する手順と、
前記コンテンツ提供管理センターはサービス利用登録した利用者の利用者端末に前記コンテンツ収集管理システムから取得したロケーション情報を送信する手順とを有することを特徴とするロケーション情報提供方法。
【請求項５】
前記コンテンツ収集管理システムは、前記コンテンツ提供管理システムから求められたロケーション情報を蓄積していない場合に、前記情報提供者端末に当該ロケーション情報を募集することを特徴とする請求項４に記載のロケーション情報提供方法。
【請求項６】
前記コンテンツ提供管理システムは、前記利用者端末から求められたロケーション情報を蓄積していない場合に、他の前記利用者端末に当該ロケーション情報を募集することを特徴とする請求項４または請求項５に記載のロケーション情報提供方法。
【発明の詳細な説明】
【０００１】
【発明の属する技術分野】
本発明は、例えば走行中の車等に所定地域の景観，観光スポット，名物店舗等のロケーション情報を提示するロケーション情報提供システムに関する。
【０００２】
【従来の技術】
ＧＰＳ（Ｇｌｏｂａｌ　Ｐｏｓｉｔｉｏｎｉｎｇ　Ｓｙｓｔｅｍ）を利用したカーナビゲーションや携帯電話機，ＰＨＳ等による位置情報システムがサービスに供されてきているが、この種のサービスにおいては、視覚的なロケーションコンテンツ表示の基となるデータの収集や維持を通じて、より効果的でフレッシュな情報の提供を図ることが重要である。
【０００３】
この点に関し、近年では、地図上の地点に実風景等の映像を関連付けた、いわゆるライブビューを提示して、利用者により高度なロケーションコンテンツを提供できるようになっている。これは、ネットワークを用いた所定のデジタルコンテンツを収集し維持するのに、インタネット，デジタルカメラ，ロケーション，撮影対象，対象エリア，コンテンツの利用期限等を有機的に結合するものである。
【０００４】
例えば、特開平１０−２６７６７１に記載されている「景観ラベリング装置およびシステム」では、景観画像と、画像取得時の位置と、カメラ角，焦点距離，景観画像サイズとを取得し、位置と、カメラ角，焦点距離，景観画像サイズとを基に地図情報空間の中で視覚空間を求め、視覚空間中に存在する構造物を取得する。そして、構造物の名称または属性情報およびその付与位置を含むラベル情報を作成し、ラベル情報中の位置の情報に対応する画像中に地図情報の名称または属性情報を重畳して視覚機器に出力する。これにより、人間がコンピュータ上の地図と実風景を見比べて人間の方で対応付けせずとも済む。
【０００５】
また、特開平１０−２３２１３５に記載されている「画像データ収集方法〜」では、移動体の所定の位置に具備された撮影手段で景色などを撮影し、撮影した画像データを移動体の位置データと共に送信して中央装置に蓄積しておく。中央装置は、利用者からの位置データを受信すると、その位置に対応して蓄積された画像データを送信する。これにより、ＣＤ−ＲＯＭに用意されていない任意の場所の画像を得られる。
【０００６】
更に、特開２００２−７４８０に記載されている「映像情報表示装置」では、地図と対応付けて映像を再現表示しているときに、映像中の位置または物体を指定するとその位置または物体のある位置が地図上で表示でき、また地図上で選択した位置を映像上で強調して表示できる。これにより、映像に写っている位置の地図上での確認や、見たい対象が映像に写っているかの確認が容易にできる。
【０００７】
【発明が解決しようとする課題】
ところで、近年、携帯電話機や情報端末機等にカメラ機能を搭載する機種が多数実用化され、またＧＰＳ機能を搭載した携帯電話機や情報端末機も比較的安価な価格で出まわっている。したがって、視覚的なロケーションコンテンツ表示の基となるデータの拡充を図るための手段として、上記の手軽に入手できる機器をコンテンツ取得インフラとするサービスを展開するための環境が整ってきている。
【０００８】
しかしながら、上述したいずれの従来の技術においても、このような視点を欠く。例えば、画像データないしは映像の収集はプロや専門家に依存していると見受けられ、そのため、収集範囲が狭くなりがちであったり、穴場的な隠れたコンテンツを掘り起こせない傾向がある。また、利用者のニーズを忠実に取り入れたコンテンツを提供しているとはいい難い。
【０００９】
そこで、本発明の第１の目的は、迅速、かつ容易に多彩なコンテンツを収集できるロケーション情報提供システムを提供することにある。
【００１０】
また、本発明の第２の目的は、利用者のニーズに誠実に応えるコンテンツを収集できるロケーション情報提供システムを提供することにある。
【００１１】
【課題を解決するための手段】
本発明のロケーション情報提供システムは、情報提供者端末（図１の３０）とコンテンツ収集管理システム（図１の１０）とコンテンツ提供管理システム（図１の２０）と利用者端末（図１の４０）とが通信ネットワーク（図１の５０，６０，７０）で接続されたロケーション情報提供システムにおいて、情報提供者端末はコンテンツ収集管理センターに採用された情報提供会員が採集したロケーション情報をコンテンツ収集管理システムに送信し、コンテンツ収集管理システムでは受信したロケーション情報を審査の上で蓄積し、コンテンツ提供管理システムではコンテンツ収集管理センターとの間で利用提携契約を締結し蓄積されているロケーション情報をコンテンツ収集管理システムから取得して蓄積し、コンテンツ提供管理センターはサービス利用登録した利用者の利用者端末にコンテンツ収集管理システムから取得したロケーション情報を送信することを特徴とするものである。
【００１２】
【発明の実施の形態】
次に、本発明の実施例について図面を参照しながら説明する。
【００１３】
【実施例の構成】
図１は本発明のロケーション情報提供システムの一実施例を示す図である。このロケーション情報提供システムは、例えば、走行中の車の中から目印となる景観や建物，標識情報を携帯電話機や携帯情報端末機（ＰＤＡ：Ｐｅｒｓｏｎａｌ　ＤｉｇｉｔａｌＡｓｓｉｓｔａｎｃｅ）を用いてデジタルコンテンツとしてサービスサイトからダウンロードすることにより、そこに表示される景観情報に基づいて道路案内が行なえる路線案内サービスを提供する。
【００１４】
そのために、カーナビや地図情報と併せて所要のデジタル景観コンテンツ（店舗の写真等）を表示したり、ロケーションに附帯する景観情報を提供するサービス用のデジタル景観情報を収集しデータベース化しておく。デジタル景観情報は、ＧＰＳ機能と写真撮影機能を具備する端末機を保有する情報提供会員により、データベースを提供するサイトが募集する要件に沿って撮影され登録される。
【００１５】
そして、このデータベースをＷＥＢサイトが利用することにより、店舗等の広告案内やＧＩＳサービスを通じて写真を用いた付加価値を上げる。登録されたデジタル景観情報は、定められる利用料金に基づいて情報利用者サイトから支払われる。利用料金はデジタル景観情報登録者にフィードバックする仕組みにより情報提供会員の意欲を促進するとともに、情報提供会員のコンテンツ提供品質を維持することにより優良データベースの保持を図る。
【００１６】
図１を参照すると、このロケーション情報提供システムは、情報提供者が使用する情報提供者端末３０と、情報提供者からロケーション情報を収集し管理するコンテンツ収集管理センターが運用するコンテンツ収集管理システム１０と、コンテンツ収集管理システム１０に登録されているロケーション情報の内から所要目的に応じたロケーション情報のサービスを利用者に提供するコンテンツ提供管理システム２０と、コンテンツ提供管理システム２０が提供するサービスを享受する利用者が使用する利用者端末４０とから構成される。
【００１７】
情報提供者端末３０とコンテンツ収集管理システム１０との間，コンテンツ収集管理システム１０とコンテンツ提供管理システム２０との間，コンテンツ提供管理システム２０と利用者端末４０との間は、それぞれ通信ネットワーク５０，６０，７０で接続されている。
【００１８】
情報提供者は、会員登録後にコンテンツ収集管理システム１０へロケーション情報のデジタルデータを登録する者である。そのため、少なくとも、ＧＩＳ（Ｇｉｏｇｒａｐｈｉｃ　Ｉｎｆｏｒｍａｔｉｏｎ　Ｓｙｓｔｅｍ）、およびデジタル写真撮影とその加工が行える携帯電話機，携帯情報端末機を所有し、かつ撮影した写真コンテンツとマニュアル入力した写真コンテンツの位置情報を通信できるパソコン等の情報提供者端末３０を使用できることが必要とされる。
【００１９】
ＧＩＳとは、デジタル化された地図（地形）データと、統計データや位置の持つ属性情報などの位置に関連したデータとを、統合的に扱う情報システム。地図データと他のデータを相互に関連づけたデータベースと、それらの情報の検索や解析、表示などを行なうソフトウェアから構成される。データは地図上に表示されるので、解析対象の分布や密度、配置などを視覚的に把握することができる。
【００２０】
コンテンツ収集管理システム１０は、提供会員管理手段１１，コンテンツ収集管理手段１２，コンテンツ募集管理手段１３，コンテンツ登録・更新手段１４およびコンテンツ検索管理手段１５を備えている。
【００２１】
提供会員管理手段１１は、通信ネットワーク５０のＷＥＢ上で情報提供会員の採用募集を行い、応募に対して会員資格を審査し、パスした場合には会員登録し、以後その更新・管理を行う。
【００２２】
コンテンツ収集管理手段１２は募集するロケーション情報の収集項目や撮影場所等含む収集管理を行う。収集項目とは、例えば、道路上の車の進行方向を指す。
【００２３】
コンテンツ募集管理手段１３は、通信ネットワーク５０のＷＥＢ上で収集対象のロケーション情報の募集を行い、応募に対して審査をパスしたロケーション情報を管理する。収集対象は、例えば、季節，時間帯，期間で定める。
【００２４】
コンテンツ登録・更新手段１４は、応募されたロケーション情報の有効性を判定し、有効なものはデータベースに格納し、また更新する。
【００２５】
コンテンツ検索管理手段１５は、コンテンツ提供管理システム２０からの照会に応じて蓄積してあるロケーション情報の検索や未蓄積のロケーション情報の収集処理を行う。
【００２６】
コンテンツ提供管理システム２０は、コンテンツ収集管理システム１０からコンテンツの提供サービスを受けるためのＷＥＢ手段と、そのサービスを利用者に提供する手段とを備える。具体的には、コンテンツ提供管理システム２０は、利用会員管理手段２１，コンテンツ検索管理手段２２，コンテンツ募集管理手段２３およびコンテンツ登録・更新手段２４を備えている。
【００２７】
利用会員管理手段２１は、コンテンツ提供管理システム２０が保有するロケーション情報を利用する利用者会員の募集をＷＥＢ上で行い、その会員登録と管理を行う。
【００２８】
コンテンツ検索管理手段２２は、コンテンツ収集管理システム１０へＷＥＢ上でアクセスし、コンテンツの利用目的，利用範囲に添ってコンテンツ照会を行う。
【００２９】
コンテンツ募集管理手段２３は、利用者端末４０に対してロケーション情報のコンテンツ募集をすることができる。
【００３０】
コンテンツ登録・更新手段２４は、コンテンツ収集管理システム１０から受信したロケーション情報をデータベースに蓄積し、また更新する。
【００３１】
情報提供者端末３０は、情報提供者が、コンテンツ収集管理システム１０に情報提供会員の登録をし、コンテンツ収集管理システム１０にロケーション情報を送信するのに使用する。また、コンテンツ収集管理システム１０からの通知等を受信する。
【００３２】
利用者端末４０は、利用者が、コンテンツ収集管理システム２０にサービス登録し、コンテンツ収集管理システム２０からロケーション情報を受信するのに使用する。また、コンテンツ収集管理システム２０からの通知やロケーション情報を受信する。
【００３３】
【実施例の動作】
次に、以上のように構成された本実施例の動作について説明する。
【００３４】
このロケーション情報サービスシステムでは、先ず、コンテンツ収集管理センターが募集した情報提供会員から情報提供者端末３０によりコンテンツ収集管理システム１０にロケーション情報が蓄積される。コンテンツ収集管理センターとコンテンツ提供管理センターとはロケーション情報の利用提携契約を締結することにより、コンテンツ提供管理システム２０にコンテンツ収集管理システム１０からロケーション情報の供給を受けることができる。そして、利用会員からの要請に応じて、所望されたロケーション情報を利用者端末４０に提供する。
【００３５】
以下、図２，図３および図４に示すフローチャートにより、情報提供者端末３０とコンテンツ収集管理システム１０の間，コンテンツ収集管理システム１０とコンテンツ提供管理システム２０の間およびコンテンツ提供管理システム２０と利用者端末４０の間それぞれのやり取りについて説明する。
【００３６】
図２は情報提供者端末３０とコンテンツ収集管理システム１０の間のやり取りを示すフローチャートである。
【００３７】
コンテンツ収集管理システム１０の提供会員管理手段１１は、コンテンツ収集管理センターの係員の指示により通信ネットワーク５０のＷＥＢ上で情報提供会員の採用募集を行う（図２のステップＡ１）。採用募集は、収集するロケーション情報に応じて属性分けされた２つの募集形態を設定して行う。１つの募集形態は、ロケーション情報の収集に使用する端末機器，撮影行動地域，募集ジャンルに精通していること等についての要件を課すものであり、高品質のロケーション情報を収集できる点に意義がある。他の募集形態は、応募者はデジタルコンテンツを登録できさえすればよいとするものであり、ロケーション情報を広く収集できる点に意義がある。このような情報提供会員の採用募集に関心をもつ者は、情報提供者端末３０によりロケーション情報の利用許諾，著作権，報酬等について細かい契約条項をＷＥＢ上で参照できる。
【００３８】
情報提供者が情報提供者端末３０から応募を申請してくると（ステップＡ２）、提供会員管理手段１１は上記２つの会員募集形態の要件に照らして会員資格を審査し、パスした場合には会員に登録し（ステップＡ３）、以後その更新・管理を行う。会員となった情報提供者へのロケーション情報の提供に対する報酬の振込み口座の管理等である。提供会員管理手段１１は、情報提供者端末に会員登録の旨を連絡する。また、会員から提供されるロケーション情報に対する利用許諾，報酬の支払方法等についての管理を行う。
【００３９】
コンテンツ収集管理センターがロケーション情報を募集するときは、コンテンツ収集管理手段１２は収集登録項目や撮影場所を定め管理する。コンテンツ募集管理手段１３は、コンテンツ収集管理センターの係員の指示によりＷＥＢ上でコンテンツ募集案内を情報提供者端末３０に送信する（ステップＡ４）。コンテンツ募集案内には、収集期間等の条件や募集するロケーション情報の内容を含む。ロケーション情報の内容として、例えば、所定地域の景観，観光スポット，名物店舗等を指定してもよいし、また、単にロケーション情報としてとしてもよい。
【００４０】
コンテンツ募集案内を受け取った情報提供者は、コンテンツ募集案内の収集要件に満たした場所でデジタルカメラ等にてコンテンツを撮影／記録してロケーション情報を採集する（ステップＡ５）。採集したロケーション情報は情報提供者端末３０によりＷＥＢ上でコンテンツ収集管理システム１０へ送信することによって応募する（ステップＡ６）。
【００４１】
提供者端末３０からロケーション情報がコンテンツ収集管理システム１０に送信されてくると、コンテンツ登録・更新手段１４は、コンテンツ収集管理手段１２およびコンテンツ募集管理手段１３とともに、応募されてきたコンテンツが重複登録とならないか、撮影要件を満たしているかなどをチェックすることにより、送信されてきたロケーション情報の有効性の判定を行う（ステップＡ７）。このような有効性の判定は、情報提供者を広く募集することからも重要である。
【００４２】
有効性の判定では、例えば、ロケーション情報が更新情報である場合には無条件で肯定され、類似のロケーション情報が先行して登録されている場合，ロケーション情報としての写真が不鮮明である場合やロケーション情報が許諾されていない著作権に抵触する場合は有効性が否定される。判定の結果は、ロケーション情報を採用するときは（ステップＡ８でＹＥＳ）、コンテンツ登録・更新手段１４によって情報提供者端末３０へ通知されるとともに（ステップＡ９）、データベース化する（ステップＡ１０）。不採用のときは（ステップＡ８でＮＯ）、その旨を情報提供者端末３０へ通知する（ステップＡ１１）。また、コンテンツ収集管理手段１２は、登録したロケーション情報について著作権許諾管理を行う。
【００４３】
図３はコンテンツ収集管理システム１０とコンテンツ提供管理システム２０の間のやり取りを示すフローチャートである。
【００４４】
先ず、コンテンツ提供管理センターは、コンテンツ収集管理センターとの間でコンテンツの利用契約を締結する必要がある（図３のステップＢ１）。その上で、コンテンツ照会手段２２は、コンテンツ収集管理システム１０へＷＥＢ上でアクセスし、コンテンツの利用目的，利用範囲に添ってコンテンツ照会を行うことができる（ステップＢ２）。
【００４５】
コンテンツ収集管理システム１０のコンテンツ検索管理手段１５は、上述のデータベースを検索し（ステップＢ３）、該当するロケーション情報を取得できれば（ステップＢ４でＹＥＳ）コンテンツ提供管理システム２０へ送信する（ステップＢ５）。コンテンツ登録・更新手段２４は受信したロケーション情報をデータベースに蓄積しておく（ステップＢ６）。
【００４６】
しかし、該当するロケーション情報がデータベースに登録されていない場合は（ステップＢ４でＮＯ）、コンテンツ検索管理手段１５はコンテンツ提供管理システム２０へコンテンツ不存在を通知するとともに（ステップＢ７）、コンテンツ募集管理手段１３は情報提供者端末３０に対してコンテンツ募集案内を行うことによって（図２のステップＡ４）データベースを補充する。このデータベースの補充は、図２におけるステップＡ４〜ステップＡ１１の処理を実行することにより行われる。
【００４７】
図４はコンテンツ提供管理システム２０と利用者端末４０の間のやり取りを示すフローチャートである。
【００４８】
ロケーション情報の提供を受けようとする者は、利用者端末４０からコンテンツ提供管理システム２０にサービス利用登録をしておく必要がある（図４のステップＣ１）。そして、コンテンツ提供管理システム２０の利用会員管理手段２１から会員登録確認案内を受けると（ステップＣ２）、所望のロケーション情報についてコンテンツ提供管理システム２０にコンテンツ照会をすることができる（ステップＣ３）。
【００４９】
コンテンツ提供管理システム２０では、利用者端末４０からのコンテンツ照会を受けると、コンテンツ検索管理手段２２はデータベースを検索し（ステップＣ４）、そこに所望されたロケーション情報が格納されている場合は（ステップＣ５でＹＥＳ）、データベースから読み出したロケーション情報を利用者端末４０へ送信する（ステップＣ８）。
【００５０】
しかし、所望されたロケーション情報が格納されていない場合は（ステップＣ５でＮＯ）、コンテンツ検索管理手段２２はコンテンツ収集管理システム１０にコンテンツの照会を行う（ステップＣ６）。このコンテンツ照会は図３におけるコンテンツ照会（ステップＢ２）と同一であり、図３のステップＢ３〜ステップＢ７の処理が行われる。その結果、所望のロケーション情報がコンテンツ収集管理システム１０から受信できれば（ステップＣ７でＹＥＳ）、利用者端末４０へ送信する（ステップＣ８）。一方、所望のロケーション情報がコンテンツ収集管理システム１０からも受信できないときは（ステップＣ７でＮＯ）、利用者端末４０へコンテンツ不存在を通知する（ステップＣ９）。
【００５１】
また、コンテンツ募集管理手段２３は利用者端末４０に対してロケーション情報のコンテンツ募集をすることができる。このコンテンツ募集の具体的な処理内容は、図２に示したコンテンツ収集管理システム１０におけるステップＡ４〜ステップＡ１１と略同一である。これは、コンテンツ収集管理システム１０による情報提供者に対するコンテンツ募集の他、ロケーション情報の利用者に対しても直接にコンテンツ募集をかけることによって、生のニーズに応えようとするものである。
【００５２】
次に、上述のロケーション情報提供システムによって走行中の車に対する路線案内サービスを提供する具体例につき説明する。
【００５３】
コンテンツ収集管理システム１０は、この種のロケーション情報、例えば観光スポット，名所，名物店舗や目印となる景観や看板，建物等のオリエンテーリング情報を情報提供者から募集し、情報提供者端末３０から送信してきたロケーション情報を蓄積しておく。コンテンツ収集管理センターとコンテンツ提供管理センターとは、路線案内サービスに供するためのロケーション情報の利用提携契約を締結する。コンテンツ提供管理システム２０には、コンテンツ収集管理システム１０から路線案内サービスに供するためのロケーション情報を取り込んでおく。
【００５４】
携帯電話，携帯情報端末機等の利用者端末４０から路線案内サービスを求めてくると、コンテンツ提供管理システム２０は、検索条件に応じて路線案内図を提示したり、車の進行方向，照会場所を画像，地図の中から検索して利用者端末４０に送信する。利用者は、利用者端末４０にダウンロードされた画像情報を見ることで所定の行き先や、目印となる景観や看板，建物等のデジタルホトコンテンツを確認できるる。これらのデジタルホトコンテンツは表示された地図上にマッピングして表示することもできる。これにより，カーナビゲーションのシステムにコンテンツを併用したり、画像を目印として走行場所の確認（目印）をしたりできる。
【００５５】
このように、携帯電話機等をカーナビ代わりに使用して、オリエンテーリング的な利用や町案内等の簡便なサービスシステムが構築できる。また、蓄積していないロケーション情報が利用者から求められた場合には、新たなコンテンツ募集を情報提供者端末３０や利用者端末４０に対して可能とする。これによって、利用者のニーズに誠実に応じることができるようになる。
【００５６】
最後に、利用者はロケーション情報の利用料をコンテンツ提供管理センターに支払い、コンテンツ提供管理は利用締結契約（ステップＢ１）にしたがってセンターコンテンツ収集管理センターに利用料を支払う。この支払は版権利用許諾支払型と利用回数に応じて支払う等の精算方法に基づき実施される。センターコンテンツ収集管理センターは、情報提供会員にロケーション情報の使用料を還元する。
【００５７】
【発明の効果】
本発明の第１の効果は、ロケーション情報のコンテンツデータベースを構築するのに、プロないしは専門家にのみ依存せず、通信ネットワークを介して広く情報提供会員を募集し、デジタルカメラ等により撮影したロケーション情報を収集することとしたため、迅速、かつ容易に多彩なコンテンツの収集が図れるということである。
【００５８】
また、本発明の第２の効果は、利用者が求めるロケーション情報がデータベースに蓄積されていないば場合には、情報提供会員あるいは他の利用者に所望されているロケーション情報の募集を自動的に行える構成としたため、利用者のニーズに誠実に応えることができるということである。
【図面の簡単な説明】
【図１】本発明のロケーション情報提供システムの一実施例を示す図
【図２】図１に示したロケーション情報提供システムにおける情報提供者端末とコンテンツ収集管理システムとの間のやり取りを示すフローチャート
【図３】図１に示したロケーション情報提供システムにおけるコンテンツ収集管理システムとコンテンツ提供管理システムとの間のやり取りを示すフローチャート
【図４】図１に示したロケーション情報提供システムにおけるコンテンツ提供管理システムと利用者端末の間のやり取りを示すフローチャート
【符号の説明】
１０　　　コンテンツ収集管理システム
１１　　　提供会員管理手段
１２　　　コンテンツ収集管理手段
１３　　　コンテンツ募集管理手段
１４　　　登録・更新管理手段
１５　　　コンテンツ検索管理手段
２０　　　コンテンツ提供管理システム
２１　　　利用会員管理手段
２２　　　コンテンツ検索管理手段
２３　　　コンテンツ募集管理手段
２４　　　コンテンツ登録・更新手段
３０　　　情報提供者端末
４０　　　利用者端末
５０　　　通信ネットワーク
６０　　　通信ネットワーク
７０　　　通信ネットワーク
【図１】
2004062225.tif 000003
【図２】
2004062225.tif 000004
【図３】
2004062225.tif 000005
【図４】
2004062225.tif 000006